(57)【要約】【課題】オペレータによるイメージング情報へのアクセスを改善し、イメージング処理を完了する時間を短縮する。【解決手段】  幾つかの実施形態では、参照表示部（１０４）は、本システム、方法及び装置によって、参照情報を受信し（１００２）かつデジタル画像検出器（１０２）からの参照情報を表示し（１００４）、ここで参照表示部（１０４）は、デジタル画像検出器（１０２）の極めて近傍に配置されている。参照表示部をデジタル画像検出器と同一の空間内に容易に設置することができることはまた、イメージング処理中の被検者によるイメージング情報へのアクセスを改善し、イメージング処理の不可解さを取り除き、イメージング処理の成功に対する被検者の信頼を向上させる。【選択図】      図２
2006150078.tif 000002
【特許請求の範囲】
【請求項１】
被検体を撮像するためのシステム（１００）であって、
デジタル画像検出器（１０２）と、
前記デジタル画像検出器（１０２）に動作可能に結合された参照表示部（１０４）と、
を含むシステム。
【請求項２】
前記参照表示部（１０４）が、前記デジタル画像検出器（１０２）内に固定状態で取付けられた参照表示部（１０４）をさらに含む、請求項１記載のシステム（１００）。
【請求項３】
前記参照表示部（３０６）が、前記デジタル画像検出器（１０２）内に着脱可能に取付けられた参照表示部（３０６）をさらに含む、請求項１記載のシステム（１００）。
【請求項４】
前記参照表示部（１０４）が、無線通信路（４０４）を介して前記デジタル画像検出器（１０２）に動作可能に結合された参照表示部（１０４）をさらに含む、請求項１記載のシステム（１００）。
【請求項５】
被検体を撮像するための医用デジタル画像検出器（３００）であって、
参照表示部（１０４）を受けるのに適した内のり寸法を有する凹所（３０４）を含むハウジング（３０２）と、
前記ハウジング（３０２）内に取付けられかつインタフェースに動作可能に結合されたデジタル画像レセプタ（１０２）と、を含み、
前記インタフェースが、前記デジタル画像レセプタ（１０２）を前記参照表示部に結合するように動作可能である、
医用デジタル画像検出器（３００）。
【請求項６】
前記参照表示部（１０４）がカラー液晶表示部をさらに含む、請求項５記載の医用デジタル画像検出器（３００）。
【請求項７】
通信路を介して医用デジタル画像レセプタから参照情報を受信する受信機（１００２）と、
前記参照情報を表示する表示器（１００４）と、
を含むコンピュータアクセス可能媒体。
【請求項８】
前記通信路が無線通信路（４０４）をさらに含む、請求項７記載のコンピュータアクセス可能媒体。
【請求項９】
被検体を撮像するための装置であって、
デジタル画像検出器（１０２）と、
前記デジタル画像検出器（１０２）の外部の一部分に装着された放射線透過スリーブ（７００）と、
を含む装置。
【請求項１０】
前記放射線透過スリーブ（７００）が黒鉛をさらに含む、請求項９記載の装置。
【発明の詳細な説明】
【技術分野】
【０００１】
本発明は、総括的にはデジタル画像検出器に関し、より具体的にはデジタル画像検出器の画像の視覚表示に関する。
【背景技術】
【０００２】
従来型のイメージング装置では、イメージング処理中の被検体はＸ線源からのＸ線ビームによって撮像される。Ｘ線画像は、イメージング・レセプタによって捕捉される。イメージング・レセプタは、フィルムベースのレセプタとすることができ、或いは次第にそうなってきているがデジタル画像レセプタとすることができる。線源及びイメージング・レセプタは、しばしば「イメージング・ルーム」と呼ばれる室内に設置される。
【０００３】
これら従来型のイメージング・システムでは、イメージング・コンソールはイメージング・ルームの外に設置される。イメージング・コンソールは、イメージング処理を表す情報の視覚表示部を含む。
【０００４】
イメージング・コンソールの視覚表示部に表示された情報は、イメージング処理が完了した後にイメージング・システムのオペレータによって精査される。情報は画質を判定するために精査される。画像が受容できない画質である場合には、撮像処理は繰り返される。
【０００５】
イメージング処理中の人間被検体（被検者）はイメージング・コンソールの画像表示部の情報にアクセスしないので、被検者はイメージング処理の成功に関して戸惑い、混乱しまた困惑を感じることが多い。情報へのアクセスがますます重視される社会において、被検者は、その生命に大きな影響をもつ可能性があるイメージング処理の情報に直接アクセスしない場合、非常に疎外感を感じる者もいる。この情報の不足は、被検者にイメージング処理が何か不可解なものだという感情を与え、このことが次に、被検者にイメージング処理の成功に対する信頼の欠如を招くことになる。
【０００６】
デジタル画像レセプタに関しては、デジタル画像レセプタは１０ポンドより軽く、従ってあちこち移動させるのが極めて容易である。デジタル画像レセプタの可搬性は、デジタル画像レセプタの非常に有用かつ実用的な特性であるが、可搬性はまた、デジタル画像レセプタに一層多くの物との接触をもたらす影響もある。他の物との接触により、デジタル画像レセプタの外部ハウジングに損傷を生じるおそれがある。
【発明の開示】
【発明が解決しようとする課題】
【０００７】
上述の理由により、また本明細書を読みかつ理解すると当業者には明らかになるであろう以下の別の理由により、イメージング処理を完了する時間を短縮するためにオペレータによるイメージング情報へのアクセスを改善する当技術における必要性が存在する。また、イメージング処理の不可解さを少なくしかつイメージング処理の成功に関する被検者の信頼を向上させるために、イメージング処理中の被検者によるイメージング情報へのアクセスを改善する必要性も存在する。加えて、デジタル画像レセプタの外部ハウジングを他の物との接触による損傷から保護する必要性も存在する。
【課題を解決するための手段】
【０００８】
上述の欠点、不利益及び問題点は本明細書において解決され、そのことは以下の明細書を読みかつ検討することで理解されるであろう。
【０００９】
１つの態様では、医用デジタル画像検出器は、デジタル画像と同一の空間内に容易に設置することができる表示部に動作可能に結合される。参照表示部をデジタル画像検出器と同一の空間内に容易に設置できることは、オペレータによるイメージング情報へのアクセスを改善し、このことが次に、イメージング処理を完了する時間を短縮することになる。参照表示部をデジタル画像検出器と同一の空間内に容易に設置することができることはまた、イメージング処理中の被検者によるイメージング情報へのアクセスを改善し、このことが次に、イメージング処理の不可解さを取り除き、イメージング処理の成功に対する被検者の信頼を向上させる。
【００１０】
別の態様では、参照表示部は、従来型のコンピュータ・モニタよりも小さい。また別の態様では、表示部は、およそ３インチ×３インチの高さ及び幅を有する。
【００１１】
さらに別の態様では、放射線透過スリーブは、デジタル画像レセプタに対してＸ線フォトンが透過するのを可能にしながら、デジタル画像検出器、特にデジタル画像レセプタのハウジングに機械的保護を与える。従って、デジタル画像検出器は、該デジタル画像検出器が放射線透過スリーブ内に位置したままの状態で、動作することができる。
【００１２】
本明細書では、様々な範囲の装置、システム及び方法を説明する。この要約に記載した態様及び利点に加えて、図面を参照しかつ以下の詳細な説明を読むことにより、さらに別の態様及び利点が明らかになるであろう。
【発明を実施するための最良の形態】
【００１３】
以下の詳細な説明において、本発明の一部を形成する添付図面を参照し、これらの図面においては、実施することができる特定の実施形態を例示として示す。これら実施形態は、当業者が本実施形態を実施することができるほど十分詳細に説明されており、また本実施形態の範囲から逸脱することなく、他の実施形態を使用することができ、かつ論理的、機械的、電気的及び他の変更を加えることができることを理解されたい。従って、以下の詳細な説明は、限定的な意味として解釈してはならない。
【００１４】
詳細な説明は、５つの項に分割する。第１の項では、システムレベルの概要を説明する。第２の項では、実施形態の装置を説明する。第３の項では、実施形態の方法を説明する。第４の項では、それらと共に実施形態を実施することができるハードウェア及び動作環境を説明する。最後に第５の項では、詳細な説明の結論を記載する。
【００１５】
システムレベルの概要
図１は、被検体の画像を都合よく精査する手段を提供しながら被検体を撮像する装置１００のシステムレベルの概要を示すブロック図である。システム１００は、イメージング処理を完了する時間を短縮するためにオペレータによるイメージング情報へのアクセスを改善する当技術における必要性を解決する。システム１００はまた、イメージング処理の不可解さを少なくしかつイメージング処理の成功に関する被検者の信頼を向上させるために、イメージング処理中の被検者によるイメージング情報へのアクセスを改善する当技術における必要性を解決する。
【００１６】
システム１００は、Ｘ線デジタル画像検出器のようなデジタル画像レセプタ１０２を含む。システム１００はまた、電子通信路１０６を介してデジタル画像レセプタ１０２に動作可能に結合された参照表示部１０４を含む。参照表示部１０４は、デジタル画像レセプタ１０２と同一の空間内に設置されるように動作可能である。例えば、図２に示す１つの実施形態では、参照表示部１０４は、デジタル画像レセプタ１０２内に固定状態で取付けられた表示部である。図３に示す別の実施例では、参照表示部１０４は、デジタル画像検出器内に着脱可能に取付けられる。図４に示すさらに別の実施例では、参照表示部１０４は、無線通信路を介してデジタル画像レセプタ１０２に動作可能に結合される。
【００１７】
参照表示部１０４は、デジタル画像レセプタ１０２から参照情報を表す信号を受信する。幾つかの実施形態では、信号は、システム１００内のマイクロプロセッサ（図示せず）から受信される。参照表示部１０４の１つの実施形態を以下の図５に示す。
【００１８】
デジタル画像レセプタ１０２によるイメージング位置に対して参照表示部１０４が極めて近傍にあることにより、イメージング中の被検者及び装置１００のオペレータの双方による参照情報への容易、迅速かつ都合のよいアクセスが得られる。オペレータによる参照情報への容易、迅速かつ都合のよいアクセスにより、オペレータが画質及び被検者の解剖学的整列を都合よく精査し、その後被検者の位置の調整及びイメージング処理のパラメータの調整を加え、従ってイメージング処理の画質制御を改善しかつ画像の撮り直しの回数を低減することが可能になる。
【００１９】
イメージング処理中の被検者による参照情報への容易、迅速かつ都合のよいアクセスはまた、被検者が参照表示部１０４における情報を見て、被検者へのイメージング処理に関するより多くの情報を得ることを可能にすることによってイメージング処理の不可解さを取り除き、それによってイメージング処理における被検者の信頼レベルを高める。
【００２０】
被検者の信頼を向上させることは、特にイメージング処理が医用イメージング処理である場合に役立つ。被検者の信頼を向上させることは、医学的診断処置及びその後の可能な治療における信頼を向上させるなどの多くの利点を有し、これにより診断する医師及び治療を行う医師が医療過誤で訴訟されることになる可能性が低下する。被検者の信頼を向上させることはまた、被検者の心理学的観点も改善することができ、そのことによって、罹患又は負傷した被検者の医学的回復を高める効果を有することができる。
【００２１】
幾つかの実施形態では、システム１００は、医用デジタル画像検出器である。幾つかの実施形態では、デジタル画像レセプタ１０２は固体放射線検出器を含み、この固体放射線検出器は、入射放射線束の変化に応答する層の対向する境界面間のコンダクタンスの変化に特徴がある光伝導材料の層を含む。幾つかの実施形態では、Ｘ線光伝導体の層は、Ｘ線を電気信号に変換するための電極間に挟まれる。
【００２２】
システム１００は、何らかの特定の画像レセプタ１０２、参照表示部１０４及び電子通信路１０６に限定されるものではないが、解り易くするために、簡易型デジタル画像レセプタ１０２、参照表示部１０４及び電子通信路１０６について説明する。
【００２３】
実施形態の装置
前項では、実施形態の動作のシステムレベルの概要を説明した。この項では、そのような実施形態の具体的な装置を一連の図を参照して説明する。
【００２４】
図２は、参照表示部がデジタル画像検出器内部に一体化された（組込まれた）実施形態による装置２００の図である。装置２００はハウジング２０２を含む。デジタル画像レセプタ１０２は、ハウジング２０２の凹所内に取付けられる。
【００２５】
装置２００はまた、ハウジング２０２内に取付けられた参照表示部１０４を含む。装置２００のハウジング２０２内に取付けられた参照表示部１０４は、該参照表示部１０４がデジタル画像レセプタ１０２によるイメージング位置の極めて近傍に永久的に固定した状態になり、このことが次に、イメージング中の被検者及び装置２００のオペレータの双方による参照画像へのアクセスを容易にする。
【００２６】
幾つかの実施形態では、装置２００はまた、該装置２００のオペレータに一層多くの情報を与えるＬＥＤ灯のような状態表示ランプ２０４を含み、これによりオペレータがデジタル画像レセプタ１０２によって受信した画像が受容できる画質であるか否かを判定する能力が向上する。幾つかの実施形態では、装置２００はまた、該装置２００の操作を改善するためのグリップ２０６を含む。
【００２７】
幾つかの実施形態では、装置２００はまた、参照表示部１０４上に移動可能になった、該装置に装着された放射線不透過カバー（図示せず）を含み、この放射線不透過カバーは、参照表示部を機械的損傷及び電磁的損傷から保護する。幾つかの実施形態では、放射線不透過カバーは有鉛ポリカーボネート・レンズである。
【００２８】
図３は、参照表示部１０４がデジタル画像検出器内に着脱可能に取付けられた実施形態による装置３００の図である。
【００２９】
装置３００は、凹所３０４を備えたハウジング３０２を含む。凹所３０４は、表示装置３０６を受けるのに適した内のり寸法を有する。表示装置３０６は、参照表示部１０４を含み、装置３００とは別個の装置である。幾つかの実施形態では、表示装置３０６は、カリフォルニア州パロアルト所在のＨｅｗｌｅｔｔ  Ｐａｃｋａｒｄ  Ｃｏｍｐａｎｙ製造のＩＰＡＱである。
【００３０】
幾つかの実施形態では、装置３００は、半透明のウィンドウ３０８を含む。半透明ウィンドウ３０８は、ハウジング３０２の凹所（図示せず）を覆って設置され、表示装置３０６がハウジング３０２の凹所３０４内に挿入された時に参照表示部１０４の位置の上に位置する。半透明ウィンドウ３０８は、表示装置３０６をハウジング３０２の凹所３０４内に挿入した時に、表示装置３０６の前面を保護する。
【００３１】
幾つかの実施形態では、装置３００はまた、ハウジング３０２内の凹所（図示せず）上に移動可能になった、該装置３００に装着した放射線不透過カバー（図示せず）を含み、この放射線不透過カバーは、表示装置３０６をハウジング３０２の凹所３０４内に挿入した時に、参照表示部１０４の位置の上に位置する。放射線不透過カバーは、参照表示部１０４を機械的損傷から保護し、また放射線不透過カバーは、参照表示部１０４を電磁的損傷から保護する。幾つかの実施形態では、放射線不透過カバーは、有鉛ポリカーボネート・レンズである。幾つかの実施形態では、半透明ウィンドウ３０８は、放射線不透過カバーと同一の機能をもたらす放射線不透過ウィンドウである。
【００３２】
装置３００の幾つかの実施形態では、電気的インタフェース（図示せず）が、ハウジング凹所３０２の壁の１つに取付けられる。電気的インタフェースは、表示装置３０６の外側上の相補形電気的インタフェースと機械的かつ電気的に結合するように動作可能である。相補形電気的インタフェースの実施例は、１対の直列又は並列のいずれかの雌雄電気的インタフェースを含む。結合した電気的インタフェースにより装置３００と表示装置３０６との間の電子通信路１０６が完成する。
【００３３】
幾つかの実施形態では、ハウジング３０２は別の凹所３１０を含む。凹所３１０は、装置３００に電力を供給するためのバッテリ３１２を受けるのに適した内のり寸法を有する。バッテリ３１２は、装置３００とは別個の装置である。これらの実施形態では、別の電気的インタフェース（図示せず）がハウジング凹所３１０の壁の１つに取付けられる。他の電気的インタフェースは、バッテリ３１２の外側上の相補形電気的インタフェースと機械的かつ電気的に結合するように動作可能である。
【００３４】
図４は、参照表示部が無線通信路を介してデジタル画像検出器に動作可能に連結された実施形態による装置４００の図である。
【００３５】
装置４００は、携帯情報端末（ＰＤＡ）４０２又は他の携帯用電子機器と通信するトランシーバを含む。ＰＤＡは無線通信路４０４と接続し、ＰＤＡ４０２は、無線通信路４０４を介してデジタル画像レセプタ１０２を含むデジタル画像検出器４０６と通信する。デジタル画像検出器４０６は、該デジタル画像検出器４０６内に収納された無線トランシーバ（図示せず）を介して無線通信路４０４と通信する。
【００３６】
図５は、実施形態による参照表示部５００の図である。装置５００は、イメージング処理に関する参照情報を提供する当技術における必要性を解決する。
【００３７】
参照表示部５００は、カラー液晶ダイオード（ＬＣＤ）画面又は他の電子表示装置のような視覚表示部５０２を含む。視覚表示部５０２の寸法は、種々の実施形態で変化するが、幾つかの例示的な寸法は、３×３インチ、（３＋３／４）×（２＋１／４）インチ、及び１３インチ対角、１４インチ対角、１５インチ対角又は１９インチ対角寸法のような従来型のコンピュータ・モニタの寸法である。
【００３８】
参照情報は、視覚表示部５０２上に表示される。参照情報の実施例には、参照画像５０４と、患者識別コード５０６、担当医５０８、処理法５１０、バッテリ状態５１２、通信状態５１４、画像整合５１６、処理法パラメータ５１８、使用ツール／診断用薬５２０及びページャ５２２情報などの文字情報とを含む。幾つかの実施形態では、参照画像５０４は、他の情報の背景として表示される。図５の画像表示部５０２上の情報の位置は、単に１つの可能な配置にすぎない。他の多くの情報の配置及び位置が可能である。
【００３９】
参照画像５０４は、デジタル画像レセプタ１０２のようなデジタル画像検出器によって捕捉した画像の小型かつ低分解能のバージョンである。処理法５０６情報は、デジタル画像検出器上に画像を捕捉するのに用いたイメージング法を示し、例えばイメージング処理で用いた、Ｘ線源での１００キロ電位の設定を表す「Ｋｖｐ１００」、１５０キロ電子ボルトの設定を表す「Ｋｅｖ１５０」、２０キロアンペアの設定を表す「ｍａ２０」及び／又は１０ミリアンペア秒の設定を表す「ｍＡｓ１０」などを示す。
【００４０】
図６は、実施形態による４つの回転した視覚表示６００の図である。幾つかの実施形態では、オペレータ、イメージング中の被検体及び／又はデジタル画像検出器の配向に準拠して、表示した文字情報を回転させている。
【００４１】
表示６０２は、上から下かつ左から右への配向として表示文字情報の配向を示す。表示６０４は、左に９０度回転させた表示文字情報を示す。表示６０６は、１８０度回転させた表示を示す。表示６０８は、右に９０度回転させた表示文字情報を示す。しかしながら、表示文字情報は、オペレータ、イメージング中の被検体及び／又はデジタル画像検出器の配向に関して読取り可能になるようにあらゆる角度数で回転させることができる。
【００４２】
図７は、実施形態によるデジタル画像検出器用の放射線透過スリーブ７００の３次元斜視図である。装置７００は、デジタル画像レセプタの外部ハウジングを他の物との接触による損傷から保護する当技術における必要性を解決する。
【００４３】
放射線透過スリーブ７００は、前面７０２、背面７０４、２つの側面７０６及び７０８並びに閉鎖端部７１０を含む。装置２００、３００及び４００のようなデジタル画像検出器は、開放端部７１２内に挿入される。放射線透過スリーブ７００は、デジタル画像レセプタの外部ハウジングを他の物との接触による損傷から保護する。放射線透過特性により、電磁エネルギーが放射線透過スリーブ７００を透過することが可能になり、放射線透過スリーブ７００内に挿入したデジタル画像レセプタは、放射線透過スリーブ７００内に位置したままの状態で動作することができるようになる。
【００４４】
幾つかの実施形態では、放射線透過スリーブ７００は、放射線透過材料の黒鉛を含む。
【００４５】
幾つかの実施形態では、放射線透過スリーブの前面、２つの側面、背面及び閉鎖端部で形成された内周辺部は、デジタル画像検出器の外周辺部とほぼ等しい。別の幾つかの実施形態では、内周辺部は、デジタル画像検出器を放射線透過スリーブ内部に配置した時に放射線透過スリーブがぴったり嵌合する範囲で、デジタル画像検出器の外周辺部とほぼ等しい。
【００４６】
図８は、放射線透過スリーブ７００の上面図８００である。
【００４７】
図９は、実施形態によるデジタル画像検出器９０２を収容した放射線透過スリーブ７００の３次元斜視図である。
【００４８】
実施形態の方法
前項では、実施形態の動作の装置を説明した。この項では、そのような実施形態の参照表示部によって実施される特定の方法を一連のフローチャートを参照して説明する。
【００４９】
図１０は、実施形態によるデジタル画像レセプタと参照表示部との間の通信の方法１０００のフローチャートである。方法１０００は、オペレータによるイメージング情報へのアクセスを改善する当技術における必要性と、イメージング処理中の被検者によるイメージング情報へのアクセスを改善する当技術における必要性とを解決する。方法１０００は、図１〜図６の参照表示部１０４によって実施される。
【００５０】
方法１０００は、通信路１０６を介してデジタル画像レセプタ１０２から参照情報を受信する段階１００２を含む。方法１０００はまた、参照情報を表示する段階１００４を含む。
【００５１】
幾つかの実施形態では、方法１０００は、搬送波内に具現化したコンピュータ・データ信号として実施され、このコンピュータ・データ信号は、図１１００のプロセッサ１１０４のようなプロセッサによって実行される時に該プロセッサにそれぞれの方法を実施させる一連の命令を表す。別の実施形態では、方法１０００は、図１１００のプロセッサ１１０４のようなプロセッサにそれぞれの方法を実施するように命令することができる実行可能な命令を有するコンピュータアクセス可能媒体として実施される。様々な実施形態では、媒体は、磁気媒体、電子媒体又は光媒体である。
【００５２】
ハードウェア及び動作環境
図１１は、種々の実施形態を実施することができるハードウェア及び動作環境１１００のブロック図である。図１１の説明により、それらと共に幾つかの実施形態を実施することができるコンピュータ・ハードウェア及び好適なコンピュータ環境の概要を説明する。実施形態は、コンピュータ実行可能命令を実行するコンピュータに関して説明する。しかしながら、幾つかの実施形態は、コンピュータ実施可能命令が読取り専用メモリ内に実装されたコンピュータ・ハードウェアとして全てを実施することができる。幾つかの実施形態はまた、タスクを実行する遠隔装置が通信ネットワークを介して連結されているクライアント／サーバ・コンピュータ環境として実施することができる。プログラム・モジュールは、分散式コンピュータ環境におけるローカル及び遠隔記憶装置の両方内に設置することができる。
【００５３】
コンピュータ１１０２は、Ｉｎｔｅｌ、Ｍｏｔｏｒｏｌａ、Ｃｙｒｉｘ及びその他から購入可能なプロセッサ１１０４を含む。コンピュータ１１０２はまた、ランダム・アクセス・メモリ（ＲＡＭ）１１０６、読取り専用メモリ（ＲＯＭ）１１０８及び１つ又はそれ以上の大容量記憶装置１１１０と、様々なシステム構成要素を処理ユニット１１０４に動作可能に結合するシステム・バス１１１２とを含む。メモリ１１０６、１１０８及び大容量記憶装置１１１０は、コンピュータアクセス可能媒体のタイプである。大容量記憶装置１１１０は、より具体的には不揮発性コンピュータアクセス可能媒体のタイプであり、１つ又はそれ以上のハード・ディスク・ドライブ、フレキシブル・ディスク・ドライブ、光ディスク・ドライブ及びテープ・カートリッジ・ドライブを含むことができる。プロセッサ１１０４は、コンピュータアクセス可能媒体に記憶されたコンピュータ・プログラムを実行する。
【００５４】
コンピュータ１１０２は、通信装置１１１６を介してインターネット１１１４に通信可能に接続することができる。インターネット１１１４接続は、当技術分野ではよく知られている。１つの実施形態では、通信装置１１１６は、モデムであり、モデムは、当技術分野では「ダイヤルアップ接続」として公知であるものを介してインターネットに接続する通信ドライバに応答する。別の実施形態では、通信装置１１１６は、Ｅｔｈｅｒｎｅｔ（商標）、又はローカルエリア・ネットワーク（ＬＡＮ）に接続される同様のハードウェア・ネットワーク・カードであり、それ自体が、当技術分野で「ダイレクト接続」（例えばＴ１ラインなど）として公知であるものを介してインターネットに接続される。
【００５５】
ユーザは、キーボード１１１８又はポインティング装置１１２０のような入力装置を通してコンピュータ１１０２にコマンド及び情報を入力する。キーボード１１１８により、当技術分野で公知のようにコンピュータ１１０２に文字情報を入力することが可能になるが、実施形態は、如何なる特定のキーボードのタイプにも限定されるものではない。ポインティング装置１１２０により、Ｍｉｃｒｏｓｏｆｔ  Ｗｉｎｄｏｗｓ（商標）のバージョンのようなオペレーティング・システム（基本ソフト）のグラフィカル・ユーザ・インタフェース（ＧＵＩ）によって画面ポインタを制御することが可能になる。実施形態は、如何なる特定のポインティング装置１１２０にも限定されるものではない。このようなポインティング装置には、マウス、タッチ・パッド、トラックボール、リモート・コントロール及びポイント・スティックが含まれる。他の入力装置（図示せず）としては、マイクロホン、ジョイスティック、ゲーム・パッド、サテライト・ディッシュ、スキャナなどを含むことができる。
【００５６】
幾つかの実施形態では、コンピュータ１１０２は、表示装置１１２２に動作可能に結合される。表示装置１１２２は、システム・バス１１１２に接続される。表示装置１１２２により、コンピュータのユーザが観察するための、コンピュータ、ビデオ及び他の情報を含む情報を表示することが可能になる。実施形態は、如何なる特定の表示装置１１２２にも限定されるものではない。このような表示装置には、陰極線管（ＣＲＴ）表示装置（モニタ）と液晶表示装置（ＬＣＤ）のようなフラットパネル表示装置とが含まれる。モニタに加えて、コンピュータは一般的に、プリンタ（図示せず）などの他の周辺入力／出力装置を含む。スピーカ１１２４及び１１２６は、信号の音声出力を提供する。スピーカ１１２４及び１１２６もまた、システム・バス１１１２に接続される。
【００５７】
コンピュータ１１０２はまた、コンピュータアクセス可能媒体ＲＡＭ１１０６、ＲＯＭ１１０８及び大容量記憶装置１１１０に記憶され、プロセッサ１１０４によって実行される基本ソフト（図示せず）を含む。基本ソフトの実施例には、Ｍｉｃｒｏｓｏｆｔ  Ｗｉｎｄｏｗｓ（商標）、Ａｐｐｌｅ  ＭａｃＯＳ（商標）、Ｌｉｎｕｘ（商標）、ＵＮＩＸ（商標）が含まれる。しかしながら、実施例は、如何なる特定の基本ソフトにも限定されるものではなく、このような基本ソフトの構成及び用途は、当技術分野ではよく知られている。
【００５８】
コンピュータ１１０２の実施形態は、如何なるコンピュータ１１０２のタイプにも限定されるものではない。様々な実施形態では、コンピュータ１１０２には、ＰＣ互換コンピュータ、ＭａｃＯＳ（商標）互換コンピュータ、Ｌｉｎｕｘ（商標）互換コンピュータ又はＵＮＩＸ（商標）互換コンピュータが含まれる。このようなコンピュータの構造及び動作は、当技術分野ではよく知られている。
【００５９】
コンピュータ１１０２は、少なくとも１つの基本ソフトを用いて動作し、ユーザ制御可能ポインタを含むグラフィカル・ユーザ・インタフェース（ＧＵＩ）を提供することができる。コンピュータ１１０２は、少なくとも１つの基本ソフト内で実行される少なくとも１つのウェブ・ブラウザ・アプリケーション・プログラムを有し、コンピュータ１１０２のユーザが、イントラネット、又はユニバーサル・リソース・ロケータ（ＵＲＬ）アドレスによってアドレス指定したインターネットのワールド・ワイド・ウェブのページにアクセスすることが可能になる。ブラウザ・アプリケーション・プログラムの実施例には、Ｎｅｔｓｃａｐｅ  Ｎａｖｉｇａｔｏｒ（商標）及びＭｉｃｒｏｓｏｆｔ  Ｉｎｔｅｒｎｅｔ  Ｅｘｐｌｏｒｅｒ（商標）が含まれる。
【００６０】
コンピュータ１１０２は、遠隔コンピュータ１１２８のような１つ又はそれ以上の遠隔コンピュータとの論理接続を用いてネットワーク環境内で動作することができる。これら論理接続は、コンピュータ１１０２に結合された通信装置又はコンピュータ１１０２の一部によって達成される。実施形態は、特定の通信装置のタイプに限定されるものではない。遠隔コンピュータ１１２８は、別のコンピュータ、サーバ、ルータ、ネットワークＰＣ、クライアント、ピア装置又は他の共通ネットワーク・ノードとすることができる。図１１に示す論理接続には、ローカルエリア・ネットワーク（ＬＡＮ）１１３０及び広域ネットワーク（ＷＡＮ）１１３２が含まれる。このようなネットワーク環境は、事務所、企業規模のコンピュータ・ネットワーク、イントラネット及びインターネットにおいて一般的である。
【００６１】
ＬＡＮネットワーク環境で用いる場合には、コンピュータ１１０２及び遠隔コンピュータ１１２８は、１つの通信装置１１１６のタイプであるネットワーク・インタフェース又はアダプタ１１３４を介してローカル・ネットワーク１１３０に接続される。遠隔コンピュータ１１２８はまた、ネットワーク装置１１３６を含む。従来型のＷＡＮネットワーク環境で用いる場合には、コンピュータ１１０２及び遠隔コンピュータ１１２８は、モデム（図示せず）を介してＷＡＮ１１３２と通信する。内蔵又は外付けとすることができるモデムは、システム・バス１１１２に接続される。ネットワーク環境において、コンピュータ１１０２又はその一部分に対して伝えられるプログラム・モジュールは、遠隔コンピュータ１１２８内に記憶することができる。
【００６２】
コンピュータ１１０２はまた、電源装置１１３８を含む。各電源装置はバッテリとすることができる。
【００６３】
結論
デジタル画像検出器の一体形参照表示部を説明してきた。本明細書では特定の実施形態を図示しかつ説明したが、同様の目的を達成すると予測されるあらゆる構成を、図示した特定の実施形態と置き換えることができることは、当業者には明らかであろう。本出願は、あらゆる改造又は変更を保護することを意図している。例えば、機能的観点で説明してきたが、オブジェクト指向設計又は要求機能を果たす他のあらゆる設計で実施することができることは、当業者には明らかであろう。
【００６４】
具体的には、本方法及び装置の名称が実施形態の限定を意図するものではないことは、当業者には容易に分かるであろう。さらに、実施形態の技術的範囲から逸脱することなく、構成要素に対して付加的な方法及び装置を加えることができ、構成要素間において機能を構成し直すことができ、また実施形態で用いる将来の増強に対応する新たな構成要素及び物理的装置を導入することができる。実施形態が将来のデジタル画像検出器並びにレセプタ及びＰＤＡ装置に適用可能であることは、当業者には容易に分かるであろう。
【００６５】
デジタル検出器上／内に参照表示部を組込むことは、画像捕捉の基礎となる解剖学的整列及び処理法パラメータを確認する都合のよい機会を提供することによって装置の機能性を高める。この機能性は、ユーザの信頼を高め、処理の流れ／スループットを改善することになる。
【００６６】
デジタル検出器上／内に参照表示部を組込むことは、再配置及び撮り直しを少なくして所望の処理結果の迅速な評価を可能にする。参照表示部を組込むことはまた、患者の体験における方法の不可解さを取り除く。
【００６７】
通信に関して本出願で用いる専門用語は、本明細書で記載したのと同一機能をもたらす全ての通信環境及び別の方法を含むことを意味する。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００６８】
【図１】実施形態のシステムレベルの概要を示す図であり、被検体の画像を都合よく精査する手段を提供しながら被検体を撮像する装置のシステムレベルの概要を示すブロック図。
【図２】参照表示部がデジタル画像検出器内部に組込まれた実施形態による装置の図。
【図３】参照表示部１０４がデジタル画像検出器内に着脱可能に取付けられた実施形態による装置の図。
【図４】参照表示部が無線通信路を介してデジタル画像検出器に動作可能に結合された実施形態による装置の図。
【図５】実施形態による参照表示部の図。
【図６】実施形態による４つの回転した視覚表示の図。
【図７】実施形態によるデジタル画像検出器用の放射線透過スリーブの３次元斜視図。
【図８】放射線透過スリーブの上面図。
【図９】実施形態によるデジタル画像検出器を収容した放射線透過スリーブの３次元斜視図。
【図１０】実施形態による方法のフローチャート。
【図１１】種々の実施形態を実施することができるハードウェア及び動作環境のブロック図。
【符号の説明】
【００６９】
１００、３００、４００  装置
１０２  デジタル画像レセプタ
１０４  参照表示部
２０２、３０２  ハウジング
２０４  状態表示ランプ
２０６  グリップ
３０６  表示装置
３０８  半透明ウィンドウ
３１２  バッテリ
４０２  携帯情報端末（ＰＤＡ）
４０４  無線通信路
【図１】
2006150078.tif 000003
【図２】
2006150078.tif 000004
【図３】
2006150078.tif 000005
【図４】
2006150078.tif 000006
【図５】
2006150078.tif 000007
【図６】
2006150078.tif 000008
【図７】
2006150078.tif 000009
【図８】
2006150078.tif 000010
【図９】
2006150078.tif 000011
【図１０】
2006150078.tif 000012
【図１１】
2006150078.tif 000013